(57)【要約】 【課題】制動力の応答性を確保しつつ、非制動時のブレーキの引き摺り発生を容易に抑制することができる制動制御装置を提供する。  【解決手段】本発明は、パイロット液圧に応じた液圧を駆動液圧室１Ａに出力する機械式の駆動液圧発生装置４４と、パイロット液圧室１Ａに所望の液圧を出力する電動式のパイロット液圧発生装置４１、４２と、を備える液圧制動力発生装置ＢＦに適用される制動制御装置であって、ブレーキ操作部材１０の操作量が所定値以下であるか否かを判定する判定手段６と、判定手段により操作量が所定値以下であることが判定されている場合に、パイロット液圧発生装置４１、４２を制御してパイロット液圧室１Ａにホイルシリンダ５４１〜５４４内の液圧が実質的に大気圧に維持されるような値に設定された準備パイロット液圧を発生させるパイロット液圧制御手段６と、を備える。  【選択図】図１
2014141146.tif 000002
【特許請求の範囲】
【請求項１】
車両の車輪に制動力を付与するホイルシリンダ（５４１、５４２、５４３、５４４）と、
駆動液圧室（１Ａ）に入力されている駆動液圧によりマスタピストン（１４、１５）が駆動されて前記ホイルシリンダにマスタ液圧を出力するマスタシリンダ（１）と、
パイロット液圧室（４Ｄ）に入力されているパイロット液圧に応じた前記駆動液圧を前記駆動液圧室に出力する機械式の駆動液圧発生装置（４４）と、
前記パイロット液圧室に所望の液圧を出力する電動式のパイロット液圧発生装置（４１、４２）と、
を備える液圧制動力発生装置（ＢＦ）に適用される制動制御装置であって、
ブレーキ操作部材（１０）の操作量が所定値以下であるか否かを判定する判定手段（６（６１））と、
前記判定手段により前記ブレーキ操作部材の操作量が所定値以下であることが判定されている場合に、前記パイロット液圧発生装置を制御して前記パイロット液圧室に、前記ホイルシリンダ内の液圧が実質的に大気圧に維持されるような値に設定された準備パイロット液圧を発生させるパイロット液圧制御手段（６（６２））と、
を備える制動制御装置。
【請求項２】
前記ホイルシリンダが設けられている車輪に制動力が付与されることを予測する予測手段（６（６３））を備え、
前記パイロット液圧制御手段（６（６２））は、前記予測手段により車輪に制動力が付与されることが予測されている場合に前記準備パイロット液圧を発生させる請求項１に記載の制動制御装置。
【請求項３】
前記パイロット液圧制御手段（６（６２））は、前記パイロット液圧発生装置を制御して前記準備パイロット液圧に対応する予め設定された液量の作動液を前記パイロット液圧室に供給する請求項１又は２に記載の制動制御装置。
【請求項４】
前記駆動液圧を取得する駆動液圧取得手段（７４）を備え、
前記パイロット液圧制御手段（６（６２））は、前記駆動液圧取得手段により取得されている前記駆動液圧が前記準備パイロット液圧に対応する準備駆動液圧になるように、前記パイロット液圧発生装置を制御する請求項１又は２に記載の制動制御装置。
【請求項５】
前記パイロット液圧を取得するパイロット液圧取得手段（７７）を備え、
前記パイロット液圧制御手段（６（６２））は、前記パイロット液圧取得手段により取得されている前記パイロット液圧が前記準備パイロット液圧になるように、前記パイロット液圧発生装置を制御する請求項１又は２に記載の制動制御装置。
【請求項６】
前記パイロット液圧は、前記駆動液圧室に発生する液圧が、前記マスタピストンをその初期位置に向けて付勢する付勢部材（１４４）のセット荷重以下になるように設定される請求項１〜５の何れか一項に記載の制動制御装置。
【発明の詳細な説明】
【技術分野】
【０００１】
本発明は、車両の車輪に目標とする制動力を付与する制動制御装置に関する。
【背景技術】
【０００２】
従来から、マスタシリンダからホイルシリンダにブレーキ液を供給してホイルシリンダに対応する車輪に液圧制動力を発生させる液圧制動力発生装置が知られている。一般に、ホイルシリンダの液圧（以下「ホイル液圧」という）が上昇すると、例えばディスクブレーキ装置においては、ホイルシリンダに対応するブレーキパッドがブレーキロータに接近し、ブレーキパッドがブレーキロータに押し付けられることで制動力が発揮される。当然、ホイルシリンダに液圧が加えられていない状態では、ブレーキパッドとブレーキロータとは離間している。したがって、ブレーキパッドとブレーキロータが当接するまでの間は、運転手がブレーキ操作部材を操作しているにも関わらず、制動力が発揮されない。したがって、ブレーキ操作に対する制動力変化精度（以下「制動力の応答性」という）に向上の余地があった。
【０００３】
そこで、例えば特開２００４−１６１１７４号公報（特許文献１）に記載の制動制御装置のように、制動力の応答性を向上させるために、予めホイルシリンダに所定の液圧を付与するいわゆるプリチャージを行う技術が開発された。この装置では、ホイル液圧（ブレーキ圧）を圧力センサにより取得し、ホイルシリンダに所定の予圧を発生させている。
【先行技術文献】
【特許文献】
【０００４】
【特許文献１】特開２００４−１６１１７４号公報
【発明の概要】
【発明が解決しようとする課題】
【０００５】
しかしながら、圧力センサにより取得されるホイル液圧（以下「ホイル液圧の検出値」という）には、実際の圧力（以下「ホイル液圧の実際値」という）との間に誤差がある。また、ホイル液圧の検出値には、圧力センサ個体間でバラツキがある。また、ホイル液圧の実際値に対応するブレーキパッドとブレーキロータとの離間距離には、ディスクブレーキ装置個体間でバラツキがある。したがって、ホイル液圧の検出値に基づいてホイルシリンダに予圧を発生させる制御を行うと、上記誤差やバラツキにより、予圧過剰となってブレーキパッドとブレーキロータが接触し不要な制動力（引き摺り）が発生するおそれがあった。そのため、上記バラツキを考慮して予圧を低めに設定する必要があった。よって、制動力の応答性向上と引き摺り発生の抑制との両立を図ることは容易ではなかった。
【０００６】
また、ブレーキパッドとブレーキロータとの離間距離は、ノックバックによって変化する。このバラツキによっても、特許文献１に記載の制動制御装置のようにホイルシリンダに予圧を発生させる構成は、上記問題（制動力の応答性向上と引き摺り発生の抑制との両立が容易ではないこと）が発生し得る。
【０００７】
本発明は、このような事情に鑑みて為されたものであり、制動力の応答性を確保しつつ、非制動時のブレーキの引き摺り発生を容易に抑制することができる制動制御装置を提供することを目的とする。
【課題を解決するための手段】
【０００８】
請求項１に記載の発明は、車両の車輪に制動力を付与するホイルシリンダ（５４１、５４２、５４３、５４４）と、駆動液圧室（１Ａ）に入力されている駆動液圧によりマスタピストン（１４、１５）が駆動されて前記ホイルシリンダにマスタ液圧を出力するマスタシリンダ（１）と、パイロット液圧室（４Ｄ）に入力されているパイロット液圧に応じた前記駆動液圧を前記駆動液圧室に出力する機械式の駆動液圧発生装置（４４）と、前記パイロット液圧室に所望の液圧を出力する電動式のパイロット液圧発生装置（４１、４２）と、を備える液圧制動力発生装置（ＢＦ）に適用される制動制御装置であって、ブレーキ操作部材（１０）の操作量が所定値以下であるか否かを判定する判定手段（６（６１））と、前記判定手段により前記ブレーキ操作部材の操作量が所定値以下であることが判定されている場合に、前記パイロット液圧発生装置を制御して前記パイロット液圧室に、前記ホイルシリンダ内の液圧が実質的に大気圧に維持されるような値に設定された準備パイロット液圧を発生させるパイロット液圧制御手段（６（６２））と、を備える。
【０００９】
請求項２に記載の発明は、請求項１において、前記ホイルシリンダが設けられている車輪に制動力が付与されることを予測する予測手段（６（６３））を備え、前記パイロット液圧制御手段（６（６２））は、前記予測手段により車輪に制動力が付与されることが予測されている場合に前記準備パイロット液圧を発生させる。
【００１０】
請求項３に記載の発明は、請求項１又は２において、前記パイロット液圧制御手段（６（６２））は、前記パイロット液圧発生装置を制御して前記準備パイロット液圧に対応する予め設定された液量の作動液を前記パイロット液圧室に供給する。
【００１１】
請求項４に記載の発明は、請求項１又は２において、前記駆動液圧を取得する駆動液圧取得手段（７４）を備え、前記パイロット液圧制御手段（６（６２））は、前記駆動液圧取得手段により取得されている前記駆動液圧が前記準備パイロット液圧に対応する準備駆動液圧になるように、前記パイロット液圧発生装置を制御する。
【００１２】
請求項５に記載の発明は、請求項１又は２において、前記パイロット液圧を取得するパイロット液圧取得手段（７７）を備え、前記パイロット液圧制御手段（６（６２））は、前記パイロット液圧取得手段により取得されている前記パイロット液圧が前記準備パイロット液圧になるように、前記パイロット液圧発生装置を制御する。
【００１３】
請求項６に記載の発明は、請求項１〜５の何れか一項において、前記パイロット液圧は、前記駆動液圧室に発生する液圧が、前記マスタピストンをその初期位置に向けて付勢する付勢部材（１４４）のセット荷重以下になるように設定される。
【発明の効果】
【００１４】
請求項１に記載の制動制御装置では、ブレーキ操作部材の操作量が所定値以下である場合に、パイロット液圧室に所定の準備パイロット液圧を発生させる。こうしてブレーキ操作部材の操作量が所定値よりも大きくなる前に、パイロット液圧室に準備パイロット液圧を予め発生させておくことにより、ブレーキ操作部材の操作量が所定値よりも大きくなってから車輪に制動力が付与されるまでの時間を短縮することができる。
【００１５】
また、準備パイロット液圧は、ホイル液圧が実質的に大気圧に維持されるような値に設定されているため、特許文献１に記載の制動制御装置のようにホイルシリンダに予圧を発生させる構成と比べて、引き摺りの発生を容易に抑制することができる。すなわち、請求項１に記載の制動制御装置によれば、制動力の応答性向上と引き摺り発生の抑制との両立を容易に図ることができる。
【００１６】
なお、ブレーキ操作部材の操作量が所定値以下である場合には、ブレーキ操作部材の操作量がゼロである場合、すなわちブレーキ操作部材が操作されていない場合も含まれる。
【００１７】
請求項２に記載の制動制御装置では、予測手段が車輪に制動力が付与されることを予測した場合に、パイロット液圧制御手段がパイロット液圧室に準備パイロット液圧を発生させる。すなわち、ブレーキ操作部材の操作量が所定値以下で、且つ、予測手段が車輪に制動力が付与されることを予測した場合にパイロット液圧室がプリチャージされる。これにより、パイロット液圧室を効率的にプリチャージすることができる。
【００１８】
請求項３に記載の制動制御装置では、予め設定された液量の作動液をパイロット液圧室に供給することで、パイロット液圧室に準備パイロット液圧を発生させる。ここで、パイロット液圧室を準備パイロット液圧とするために必要な液量は予め計算することができ、当該必要な液量を供給するための制御は、予め設定することができるため、ホイル液圧や駆動液圧やパイロット液圧を検出する必要がない。すなわち、製造コストを低減させることができる。
【００１９】
請求項４に記載の制動制御装置では、パイロット液圧制御手段が、駆動液圧取得手段により取得されている駆動液圧がパイロット液圧に対応する準備駆動液圧になるように、パイロット液圧発生装置を制御する。このように、パイロット液圧室よりも下流の駆動液圧室の液圧に基づいてパイロット液圧室をプリチャージすることにより、パイロット液圧に対する駆動液圧の駆動液圧発生装置個体間におけるバラツキを排除することができるため、制動力の応答性向上と引き摺りの発生の抑制との両立を一層容易に図ることができる。
【００２０】
請求項５に記載の制動制御装置では、パイロット液圧取得手段がパイロット液圧を取得し、パイロット液圧制御手段が、取得したパイロット液圧が準備パイロット液圧になるようにパイロット液圧発生装置を制御する。これによれば、パイロット液圧を見つつ準備パイロット液圧を発生させることができるため、パイロット液圧を精度良く制御することができる。例えば、パイロット液圧を無効液量がなくなる限界値まで上昇させることができる。これにより、制動力の応答性を高くすることができる。
【００２１】
請求項６に記載の制動制御装置では、準備駆動液圧が大気圧より大きくマスタピストンの付勢部材のセット荷重以下であるため、マスタピストンを駆動させることなく、パイロット液圧室の無効液量を少なくすることができる。無効液量とは、液を入れても駆動液圧が変化しない液量である。そのため、制動力の応答性を確保しつつ、引き摺りの発生を確実に抑制することができる。
【図面の簡単な説明】
【００２２】
【図１】第一実施形態の制動制御装置及び液圧制動力発生装置の概略構成を示す概念図である。
【図２】第一実施形態のサーボ液圧発生装置の詳細構成を示す断面図である。
【図３】第一実施形態のプリチャージ制御を説明するためのフローチャートである。
【図４】第一実施形態のパイロット液圧室のＱＰ特性を示すグラフである。
【図５】第一実施形態の増圧弁のＩＶ特性を示すグラフである。
【図６】第二実施形態のプリチャージ制御を説明するためのフローチャートである。
【図７】第三実施形態の制動制御装置及び液圧制動力発生装置の概略構成を示す概念図である。
【図８】第三実施形態のプリチャージ制御を説明するためのフローチャートである。
【図９】第四実施形態の制動制御装置及び液圧制動力発生装置の概略構成を示す概念図である。
【図１０】第四実施形態のプリチャージ制御を説明するためのフローチャートである。
【発明を実施するための形態】
【００２３】
以下、本発明の実施の形態の制動制御装置およびこの制動制御装置で制御可能な車両用制動装置について図面に基づいて説明する。なお、以下の各実施形態相互において、互いに同一もしくは均等である部分には、図中、同一符号を付してある。また、説明に用いる各図において、各部の形状・寸法は必ずしも厳密なものではない場合がある。
【００２４】
＜第一実施形態＞
図１に示すように、車両用制動装置は、車輪５ＦＲ，５ＦＬ，５ＲＲ，５ＲＬに液圧制動力を発生させる液圧制動力発生装置ＢＦと、駆動輪、例えば左右前輪５ＦＲ，５ＦＬに回生制動力を発生させる回生制動力発生装置ＢＭ等とを備えて構成される。第一実施形態の制動制御装置は、液圧制動力発生装置ＢＦを制御するブレーキＥＣＵ６を備えて構成される。
【００２５】
（液圧制動力発生装置ＢＦ）
液圧制動力発生装置ＢＦは、マスタシリンダ１と、反力発生装置２と、第一制御弁２２と、第二制御弁２３と、サーボ液圧発生装置４と、液圧制御部５と、各種センサ７１〜７６等により構成されている。
【００２６】
（マスタシリンダ１）
マスタシリンダ１は、ブレーキペダル１０（「ブレーキ操作部材」に相当する）の操作量に応じて作動液を液圧制御部５に供給する部位であり、メインシリンダ１１、カバーシリンダ１２、入力ピストン１３、第１マスタピストン１４、および第２マスタピストン１５等により構成されている。
【００２７】
メインシリンダ１１は、前方が閉塞されて後方に開口する有底略円筒状のハウジングである。メインシリンダ１１の内周側の後方寄りに、内向きフランジ状に突出する内壁部１１１が設けられている。内壁部１１１の中央は、前後方向に貫通する貫通孔１１１ａとされている。また、メインシリンダ１１の内部の内壁部１１１よりも前方に、内径がわずかに小さくなっている小径部位１１２（後方）、１１３（前方）が設けられている。つまり、小径部位１１２、１１３は、メインシリンダ１１の内周面から内向き環状に突出している。メインシリンダ１１の内部には、小径部位１１２に摺接して軸方向に移動可能に第１マスタシリンダ１４が配設されている。同様に、小径部位１１３に摺接して軸方向に移動可能に第２マスタシリンダ１５が配設されている。
【００２８】
カバーシリンダ１２は、略円筒状のシリンダ部１２１、蛇腹筒状のブーツ１２２、およびカップ状の圧縮スプリング１２３で構成されている。シリンダ部１２１は、メインシリンダ１１の後端側に配置され、メインシリンダ１１の後側の開口に同軸的に嵌合されている。シリンダ部１２１の前方部位１２１ａの内径は、内壁部１１１の貫通孔１１１ａの内径よりも大とされている。また、シリンダ部１２１の後方部位１２１ｂの内径は、前方部位１２１ａの内径よりも小とされている。
【００２９】
防塵用のブーツ１２２は蛇腹筒状で前後方向に伸縮可能であり、その前側でシリンダ部１２１の後端側開口に接するように組み付けられている。ブーツ１２２の後方の中央には貫通孔１２２ａが形成されている。圧縮スプリング１２３は、ブーツ１２２の周りに配置されるコイル状の付勢部材であり、その前側がメインシリンダ１１の後端に当接し、後側はブーツ１２２の貫通孔１２２ａに近接するように縮径されている。ブーツ１２２の後端および圧縮スプリング１２３の後端は、操作ロッド１０ａに結合されている。圧縮スプリング１２３は、操作ロッド１０ａを後方に付勢している。
【００３０】
入力ピストン１３は、ブレーキペダル１０の操作に応じてカバーシリンダ１２内を摺動するピストンである。入力ピストン１３は、前方に底面を有し後方に開口を有する有底略円筒状のピストンである。入力ピストン１３の底面を構成する底壁１３１は、入力ピストン１３の他の部位よりも径が大きくなっている。入力ピストン１３は、シリンダ部１２１の後方部位１２１ｂに軸方向に摺動可能かつ液密的に配置され、底壁１３１がシリンダ部１２１の前方部位１２１ａの内周側に入り込んでいる。
【００３１】
入力ピストン１３の内部には、ブレーキペダル１０に連動する操作ロッド１０ａが配設されている。操作ロッド１０ａの先端のピボット１０ｂは、入力ピストン１３を前側に押動できるようになっている。操作ロッド１０ａの後端は、入力ピストン１３の後側の開口およびブーツ１２２の貫通孔１２２ａを通って外部に突出し、ブレーキペダル１０に接続されている。ブレーキペダル１０が踏み込み操作されたときに、操作ロッド１０ａは、ブーツ１２２および圧縮スプリング１２３を軸方向に押動しながら前進する。操作ロッド１０ａの前進に伴い、入力ピストン１３も連動して前進する。
【００３２】
第１マスタピストン１４は、メインシリンダ１１の内壁部１１１に軸方向に摺動可能に配設されている。第１マスタピストン１４は、前方側から順番に加圧筒部１４１、鍔部１４２、および突出部１４３が一体となって形成されている。加圧筒部１４１は、前方に開口を有する有底略円筒状に形成され、メインシリンダ１１の内周面との間に間隙を有し、小径部位１１２に摺接している。加圧筒部１４１の内部空間には、第２マスタピストン１５との間にコイルばね状の付勢部材１４４が配設されている。付勢部材１４４により、第１マスタピストン１４は後方に付勢されている。換言すると、第１マスタピストン１４は、設定された初期位置に向けて付勢部材１４４により付勢されている。
【００３３】
鍔部１４２は、加圧筒部１４１よりも大径で、メインシリンダ１１の内周面に摺接している。突出部１４３は、鍔部１４２よりも小径で、内壁部１１１の貫通孔１１１ａに液密に摺動するように配置されている。突出部１４３の後端は、貫通孔１１１ａを通り抜けてシリンダ部１２１の内部空間に突出し、シリンダ部１２１の内周面から離間している。突出部１４３の後端面は、入力ピストン１３の底壁１３１から離間し、その離間距離ｄは変化し得るように構成されている。
【００３４】
ここで、メインシリンダ１１の内周面、第１マスタピストン１４の加圧筒部１４１の前側、および第２マスタピストン１５の後側により、第１加圧室１Ｄが区画されている。また、メインシリンダ１１の内周面（内周部）と小径部位１１２と内壁部１１１前面、および第１マスタピストン１４の外周面により、第１加圧室１Ｄよりも後方の後方室が区画されている。第１マスタピストン１４の鍔部１４２の前端部および後端部は後方室を前後に区分しており、前側に第二液圧室１Ｃが区画され、後側にサーボ室（「駆動液圧室」に相当する）１Ａが区画されている。さらに、メインシリンダ１１の内周部と内壁部１１１後面、シリンダ部１２１の前方部位１２１ａの内周面（内周部)、第１マスタピストン１４の突出部１４３（後端部）、および入力ピストン１２の前端部により第一液圧室１Ｂが区画されている。
【００３５】
第２マスタピストン１５は、メインシリンダ１１内の第１マスタピストン１４の前方側に、小径部位１１３に摺接して軸方向に移動可能に配置されている。第２マスタピストン１５は、前方に開口を有する筒状の加圧筒部１５１、および加圧筒部１５１の後側を閉塞する底壁１５２が一体となって形成されている。底壁１５２は、第１マスタピストン１４との間に付勢部材１４４を支承している。加圧筒部１５１の内部空間には、メインシリンダ１１の閉塞された内底面１１１ｄとの間に、コイルばね状の付勢部材１５３が配設されている。付勢部材１５３により、第２マスタピストン１５は後方に付勢されている。換言すると、第２マスタピストン１５は、設定された初期位置に向けて付勢部材１５３により付勢されている。メインシリンダ１１の内周面と内底面１１１ｄ、および第２マスタピストン１５の加圧筒部１５１により、第２加圧室１Ｅが区画されている。
【００３６】
マスタシリンダ１には、内部と外部を連通させるポート１１ａ〜１１ｉが形成されている。ポート１１ａは、メインシリンダ１１のうち内壁部１１１よりも後方に形成されている。ポート１１ｂは、ポート１１ａと軸方向の同様の位置に、ポート１１ａに対向して形成されている。ポート１１ａとポート１１ｂは、メインシリンダ１１内周面とシリンダ部１２１の外周面との間の環状空間を介して連通している。ポート１１ａおよびポート１１ｂは、配管１６１に接続され、かつリザーバ１７１に接続されている。
【００３７】
また、ポート１１ｂは、シリンダ部１２１および入力ピストン１３に形成された通路１８により第一液圧室１Ｂに連通している。通路１８は入力ピストン１３が前進すると遮断され、これによって第一液圧室１Ｂとリザーバ１７１とが遮断される。
【００３８】
ポート１１ｃは、ポート１１ａよりも前方に形成され、第一液圧室１Ｂと配管１６２とを連通させている。ポート１１ｄは、ポート１１ｃよりも前方に形成され、サーボ室１Ａと配管１６３とを連通させている。ポート１１ｅは、ポート１１ｄよりも前方に形成され、第二液圧室１Ｃと配管１６４とを連通させている。
【００３９】
ポート１１ｆは、小径部位１１２の両シール部材９１、９２の間に形成され、リザーバ１７２とメインシリンダ１１の内部とを連通している。ポート１１ｆは、第１マスタピストン１４に形成された通路１４５を介して第１加圧室１Ｄに連通している。通路１４５は、第１マスタピストン１４が前進するとポート１１ｆと第１加圧室１Ｄが遮断される位置に形成されている。
【００４０】
ポート１１ｇは、ポート１１ｆよりも前方に形成され、第１加圧室１Ｄと配管５１とを連通させている。ポート１１ｈは、小径部位１１３の両シール部材９３、９４の間に形成され、リザーバ１７３とメインシリンダ１１の内部とを連通させている。ポート１１ｇは、第２マスタピストン１５に形成された通路１５４を介して第２加圧室１Ｅに連通している。通路１５４は、第２マスタピストン１５が前進するとポート１１ｇと第２加圧室１Ｅが遮断される位置に形成されている。ポート１１ｉは、ポート１１ｈよりも前方に形成され、第２加圧室１Ｅと配管５２とを連通させている。
【００４１】
また、マスタシリンダ１内には、適宜、Ｏリング等のシール部材（図面黒丸部分）が配置されている。シール部材９１、９２は、小径部位１１２に配置され、第１マスタピストン１４の外周面に液密的に当接している。同様に、シール部材９３、９４は、小径部位１１３に配置され、第２マスタピストン１５の外周面に液密的に当接している。また、入力ピストン１３とシリンダ部１２１との間にもシール部材９５、９６が配置されている。
【００４２】
ストロークセンサ７１は、運転者によりブレーキペダル１０が操作された操作量（ストローク量）を検出するセンサであり、検出信号をブレーキＥＣＵ６に送信する。ブレーキスイッチ７２は、運転者によるブレーキペダル１０の操作の有無を２値信号で検出するスイッチであり、検出信号をブレーキＥＣＵ６に送信する。
【００４３】
（反力発生装置２）
反力発生装置２は、ブレーキペダル１０が操作されたとき操作力に対抗する反力を発生する装置であり、ストロークシミュレータ２１を主にして構成されている。ストロークシミュレータ２１は、ブレーキペダル１０の操作に応じて第一液圧室１Ｂおよび第二液圧室１Ｃに反力液圧を発生させる。ストロークシミュレータ２１は、シリンダ２１１にピストン２１２が摺動可能に嵌合されて構成されている。ピストン２１２は圧縮スプリング２１３によって前方に付勢されており、ピストン２１２の前面側に反力液圧室２１４が形成される。反力液圧室２１４は、配管１６４およびポート１１ｅを介して第二液圧室１Ｃに接続され、さらに、反力液圧室２１４は、配管１６４を介して第一制御弁２２および第二制御弁２３に接続されている。
【００４４】
（第一制御弁２２）
第一制御弁２２は、非通電状態で閉じる構造の電磁弁であり、ブレーキＥＣＵ６により開閉が制御される。第一制御弁２２は、配管１６４と配管１６２の間に接続されている。ここで、配管１６４はポート１１ｅを介して第二液圧室１Ｃに連通し、配管１６２はポート１１ｃを介して第一液圧室１Ｂに連通している。また、第一制御弁２２が開くと第一液圧室１Ｂが開放状態になり、第一制御弁２２が閉じると第一液圧室１Ｂが密閉状態になる。したがって、配管１６４および配管１６２は、第一液圧室１Ｂと第二液圧室１Ｃとを連通するように設けられている。
【００４５】
第一制御弁２２は通電されていない非通電状態で閉じており、このとき第一液圧室１Ｂと第二液圧室１Ｃとが遮断される。これにより、第一液圧室１Ｂが密閉状態になって作動液の行き場がなくなり、入力ピストン１３と第１マスタピストン１４とが一定の離間距離ｄを保って連動する。また、第一制御弁２２は通電された通電状態では開いており、このとき第一液圧室１Ｂと第二液圧室１Ｃとが連通される。これにより、第１マスタピストン１４の進退に伴う第一液圧室１Ｂおよび第二液圧室１Ｃの容積変化が、作動液の移動により吸収される。
【００４６】
圧力センサ７３は、第二液圧室１Ｃの反力液圧を検出するセンサであり、配管１６４に接続されている。圧力センサ７３は、第一制御弁２２が閉状態の場合には第二液圧室１Ｃの圧力を検出し、第一制御弁２２が開状態の場合には連通された第一液圧室１Ｂの圧力をも検出することになる。圧力センサ７３は、検出信号をブレーキＥＣＵ６に送信する。
【００４７】
（第二制御弁２３）
第二制御弁２３は、非通電状態で開く構造の電磁弁であり、ブレーキＥＣＵ６により開閉が制御される。第二制御弁２３は、配管１６４と配管１６１との間に接続されている。ここで、配管１６４はポート１１ｅを介して第二液圧室１Ｃに連通し、配管１６１はポート１１ａを介してリザーバ１７１に連通している。したがって、第二制御弁２３は、第二液圧室１Ｃとリザーバ１７１との間を非通電状態で連通して反力液圧を発生させず、通電状態で遮断して反力液圧を発生させる。
【００４８】
（サーボ液圧発生装置４）
サーボ液圧発生装置４は、減圧弁４１、増圧弁４２、高圧供給部４３、およびレギュレータ４４等で構成されている。減圧弁４１は、非通電状態で開く構造の電磁弁であり、ブレーキＥＣＵ６により流量が制御される。減圧弁４１の一方は配管４１１を介して配管１６１に接続され、減圧弁４１の他方は配管４１３に接続されている。つまり、減圧弁４１の一方は、配管４１１、１６１、およびポート１１ａ、１１ｂを介してリザーバ１７１に連通している。増圧弁４２は、非通電状態で閉じる構造の電磁弁であり、ブレーキＥＣＵ６により流量が制御されている。増圧弁４２の一方は配管４２１に接続され、増圧弁４２の他方は配管４２２に接続されている。減圧弁４１及び増圧弁４２は、パイロット液圧発生装置に相当する。
【００４９】
高圧供給部４３は、レギュレータ４４に高圧の作動液を供給する部位である。高圧供給部４３は、アキュムレータ４３１、液圧ポンプ４３２、モータ４３３、およびリザーバ４３４等で構成されている。
【００５０】
アキュムレータ４３１は、高圧の作動液を蓄積するタンクである。アキュムレータ４３１は、配管４３１ａによりレギュレータ４４および液圧ポンプ４３２に接続されている。液圧ポンプ４３２は、モータ４３３によって駆動され、リザーバ４３４に貯留された作動液を、アキュムレータ４３１に圧送する。配管４３１ａに設けられた圧力センサ７５は、アキュムレータ４３１のアキュムレータ液圧を検出し、検出信号をブレーキＥＣＵ６に送信する。アキュムレータ液圧は、アキュムレータ４３１に蓄積された作動液の蓄積量に相関する。
【００５１】
アキュムレータ液圧が所定値以下に低下したことが圧力センサ７５によって検出されると、ブレーキＥＣＵ６からの指令に基づいてモータ４３３が駆動される。これにより、液圧ポンプ４３２は、アキュムレータ４３１に作動液を圧送して、アキュムレータ液圧を所定値以上に回復する。
【００５２】
図２は、サーボ液圧発生装置４を構成する機械式のレギュレータ４４の内部構造を示す部分断面説明図である。図示されるように、レギュレータ（「駆動液圧発生装置」に相当する）４４は、シリンダ４４１、ボール弁４４２、付勢部４４３、弁座部４４４、制御ピストン４４５、およびサブピストン４４６等で構成されている。
【００５３】
シリンダ４４１は、一方（図面右側）に底面をもつ略有底円筒状のシリンダケース４４１ａと、シリンダケース４４１ａの開口（図面左側）を塞ぐ蓋部材４４１ｂと、で構成されている。なお、図面上、蓋部材（４４１ｂ）は断面コの字状に形成されているが、本実施形態では、蓋部材４４１ｂを円柱状とし、シリンダケース４４１ａの開口を塞いでいる部位を蓋部材４４１ｂとして説明する。シリンダケース４４１ａには、内部と外部を連通させる複数のポート４ａ〜４ｈが形成されている。
【００５４】
ポート４ａは、配管４３１ａに接続されている。ポート４ｂは、配管４２２に接続されている。ポート４ｃは、配管１６３に接続されている。ポート４ｄは、配管４１４を介して配管１６１に接続されている。ポート４ｅは、配管４２４に接続され、さらにリリーフバルブ４２３を経由して配管４２２に接続されている。ポート４ｆは、配管４１３に接続されている。ポート４ｇは、配管４２１に接続されている。ポート４ｈは、配管５１から分岐した配管５１１に接続されている。
【００５５】
ボール弁４４２は、ボール型の弁であり、シリンダ４４１内部のシリンダケース４４１ａの底面側（以下、シリンダ底面側とも称する）に配置されている。付勢部４４３は、ボール弁４４２をシリンダケース４４１ａの開口側（以下、シリンダ開口側とも称する）に付勢するバネ部材であって、シリンダケース４４１ａの底面に設置されている。弁座部４４４は、シリンダケース４４１ａの内周面に設けられた壁部材であり、シリンダ開口側とシリンダ底面側を区画している。弁座部４４４の中央には、区画したシリンダ開口側とシリンダ底面側を連通させる貫通路４４４ａが形成されている。弁部材４４４は、付勢されたボール弁４４２が貫通路４４４ａを塞ぐ形で、ボール弁４４２をシリンダ開口側から保持している。
【００５６】
ボール弁４４２、付勢部４４３、弁座部４４４、およびシリンダ底面側のシリンダケース４４１ａの内周面で区画された空間を第１室４Ａとする。第１室４Ａは、作動液で満たされており、ポート４ａを介して配管４３１ａに接続され、ポート４ｂを介して配管４２２に接続されている。
【００５７】
制御ピストン４４５は、略円柱状の本体部４４５ａと、本体部４４５ａよりも径が小さい略円柱状の突出部４４５ｂとからなっている。本体部４４５ａは、シリンダ４４１内において、弁座部４４４のシリンダ開口側に、同軸的且つ液密的に、軸方向に摺動可能に配置されている。本体部４４５ａは、図示しない付勢部材によりシリンダ開口側に付勢されている。本体部４４５ａのシリンダ軸方向略中央には、両端が本体部４４５ａ周面に開口した径方向（図面上下方向）に延びる通路４４５ｃが形成されている。通路４４５ｃの開口位置に対応したシリンダ４４１の一部の内周面は、ポート４ｄが形成されているとともに、凹状に窪んでいる。この窪んだ空間を第３室４Ｃとする。
【００５８】
突出部４４５ｂは、本体部４４５ａのシリンダ底面側端面の中央からシリンダ底面側に突出している。突出部４４５ｂの径は、弁座部４４４の貫通路４４４ａよりも小さい。突出部４４５ｂは、貫通路４４４ａと同軸上に配置されている。突出部４４５ｂの先端は、ボール弁４４２からシリンダ開口側に所定間隔離れている。突出部４４５ｂには、突出部４４５ｂのシリンダ底面側端面中央に開口したシリンダ軸方向に延びる通路４４５ｄが形成されている。通路４４５ｄは、本体部４４５ａ内にまで延伸し、通路４４５ｃに接続している。
【００５９】
本体部４４５ａのシリンダ底面側端面、突出部４４５ｂの外表面、シリンダ４４１の内周面、弁座部４４４、およびボール弁４４２によって区画された空間を第２室４Ｂとする。第２室４Ｂは、通路４４５ｃ、４４５ｄ、および第３室４Ｃを介してポート４ｄ、４ｅに連通している。
【００６０】
サブピストン４４６は、サブ本体部４４６ａと、第１突出部４４６ｂと、第２突出部４４６ｃとからなっている。サブ本体部４４６ａは、略円柱状に形成されている。サブ本体部４４６ａは、シリンダ４４１内において、本体部４４５ａのシリンダ開口側に、同軸的且つ液密的、軸方向に摺動可能に配置されている。
【００６１】
第１突出部４４６ｂは、サブ本体部４４６ａより小径の略円柱状であり、サブ本体部４４６ａのシリンダ底面側の端面中央から突出している。第１突出部４４６ｂは、本体部４４５ａのシリンダ開口側端面に当接している。第２突出部４４６ｃは、第１突出部４４６ｂと同形状であり、サブ本体部４４６ａのシリンダ開口側の端面中央から突出している。第２突出部４４６ｃは、蓋部材４４１ｂと当接している。
【００６２】
サブ本体部４４６ａのシリンダ底面側の端面、第１突出部４４６ｂの外表面、制御ピストン４４５のシリンダ開口側の端面、およびシリンダ４４１の内周面で区画された空間をパイロット液圧室４Ｄとする。パイロット液圧室４Ｄは、ポート４ｆおよび配管４１３を介して減圧弁４１に連通し、ポート４ｇおよび配管４２１を介して増圧弁４２に連通している。
【００６３】
一方、サブ本体部４４６ａのシリンダ開口側の端面、第２突出部４４６ｃの外表面、蓋部材４４１ｂ、およびシリンダ４４１の内周面で区画された空間を第４室４Ｅとする。第４室４Ｅは、ポート４ｈおよび配管５１１、５１を介してポート１１ｇに連通している。各室４Ａ〜４Ｅは、作動液で満たされている。圧力センサ７４は、サーボ室１Ａに供給されるサーボ液圧（駆動液圧）を検出するセンサであり、配管１６３に接続されている（図１示）。圧力センサ７４は、検出信号をブレーキＥＣＵ６に送信する。このように駆動液圧発生装置に相当するサーボ液圧発生装置は構成される。
【００６４】
（液圧制御部５）
マスタシリンダ液圧（マスタ液圧）を発生する第１加圧室１Ｄ、第２加圧室１Ｅには、配管５１、５２、ＡＢＳ（Ａｎｔｉｌｏｃｋ  Ｂｒａｋｅ  Ｓｙｓｔｅｍ）５３を介してホイルシリンダ５４１〜５４４が連通されている。ホイルシリンダ５４１〜５４４は、車輪５ＦＲ〜５ＲＬのブレーキ５を構成している。具体的には、第１加圧室１Ｄのポート１１ｇ及び第２加圧室１Ｅのポート１１ｉには、それぞれ配管５１、５２を介して、公知のＡＢＳ５３が連結されている。ＡＢＳ５３には、車輪５ＦＲ〜５ＲＬを制動するブレーキ装置を作動させるホイルシリンダ５４１〜５４４が連結されている。
【００６５】
（ブレーキＥＣＵ６）
ブレーキＥＣＵ６は、電子制御ユニットであり、マイクロコンピュータを有している。マイクロコンピュータは、バスを介してそれぞれ接続された入出力インターフェース、ＣＰＵ、ＲＡＭ、ＲＯＭ、不揮発性メモリー等の記憶部を備えている。
【００６６】
ブレーキＥＣＵ６は、各電磁弁２２、２３、４１、４２、及びモータ４３３等を制御するため、各種センサ７１〜７６と接続されている。ブレーキＥＣＵ６には、ストロークセンサ７１から運転者によりブレーキペダル１０の操作量（ストローク量）が入力され、ブレーキスイッチ７２から運転者によるブレーキペダル１０の操作の有無が入力され、圧力センサ７３から第二液圧室１Ｃの反力液圧又は第一液圧室１Ｂの圧力が入力され、圧力センサ７４からサーボ室１Ａに供給されるサーボ液圧（駆動液圧）が入力され、圧力センサ７５からアキュムレータ４３１のアキュムレータ液圧が入力され、車輪速度センサ７６から各車輪５ＦＲ，５ＦＬ，５ＲＲ，５ＲＬの速度が入力される。
【００６７】
ここで、後述するプリチャージ制御を除いた、ブレーキＥＣＵ６の制御について説明する。ブレーキＥＣＵ６は、第一制御弁２２に通電して開弁し、第二制御弁２３に通電して閉弁した状態とする。第二制御弁２３が閉状態となることで第二液圧室１Ｃとリザーバ１７１とが遮断され、第一制御弁２２が開状態となることで第一液圧室１Ｂと第二液圧室１Ｃとが連通する。
【００６８】
ブレーキペダル１０が踏み込み操作されていない状態（操作量が０）では、サーボ液圧発生装置４のボール弁４４２が弁座部４４４の貫通路４４４ａを塞いでいる状態となる。また、減圧弁４１は開状態、増圧弁４２は閉状態とされ、第１室４Ａと第２室４Ｂは遮断されている。第２室４Ｂは、配管１６３を介してサーボ室１Ａに連通し、互いに同圧力に保たれている。第２室４Ｂは、制御ピストン４４５の通路４４５ｃ、４４５ｄを介して第３室４Ｃに連通し、さらに配管４１４、１６１を介してリザーバ１７１に連通している。パイロット液圧室４Ｄは、一方が増圧弁４２で塞がれ、他方が減圧弁４１を介してリザーバ１７１および第２室４Ｂに連通している。第４室４Ｅは、配管５１１、５１を介して第１加圧室１Ｄに連通し、互いに同圧力に保たれる。当然ながら、サーボ室１Ａにサーボ液圧は発生せず、第１加圧室１Ｄにマスタ液圧は発生しない。
【００６９】
この状態から、ブレーキペダル１０が踏み込み操作されると、入力ピストン１３が前進し、通路１８が分断されてリザーバ１７１と第一液圧室１Ｂが遮断される。第二液圧室１Ｃには、第１マスタピストン１４の移動に応じて第一液圧室１Ｂから突出部１４３により流入出される液量と同じ液量が流入出される。そして、ストロークシミュレータ２１は、第一液圧室１Ｂ及び第二液圧室１Ｃに、ストローク量に応じた反力圧を発生させる。つまり、ストロークシミュレータ２１は、入力ピストン１３に連結しているブレーキペダル１０に、入力ピストン１３のストローク量（ブレーキペダル１０の操作量）に応じた反力圧を付与する。
【００７０】
なお、突出部１４３先端面の面積と、鍔部１４２が第二液圧室１Ｃに臨む面の面積は、同一となっている。このため、第二制御弁２３が閉状態、第一制御弁２２が開状態である場合には、第一液圧室１Ｂと第二液圧室１Ｃの内圧は同一であることから、第一液圧室１Ｂの反力圧が突出部１４３先端面に作用する力と、第二液圧室１Ｃの反力圧が第二液圧室１Ｃに臨む面に作用する力が同一となり、運転者がブレーキペダル１０を踏み込んで、第一液圧室１Ｂ及び第二液圧室１Ｃの内圧が高くなったとしても、第１マスタピストン１４が移動しない。また、突出部１４３先端面の面積と、鍔部１４２が第二液圧室１Ｃに臨む面の面積は、同一となっていることから、第１マスタピストン１４が移動したとしても、ストロークシミュレータ２１内に、流入するブレーキ液の液量が変化しないことから、第一液圧室１Ｂの反力圧が変化せず、ブレーキペダル１０に伝達される反力も変化しないようになっている。ブレーキＥＣＵ６は、液圧制動力発生装置ＢＦを制御して車輪５ＦＲ，５ＦＬ，５ＲＲ，５ＲＬに目標制動力を付与する。
【００７１】
サーボ液圧発生装置４においては、増圧弁４２が開くことでアキュムレータ４３１とパイロット液圧室４Ｄとが連通する。減圧弁４１が閉じることで、パイロット液圧室４Ｄとリザーバ１７１とが遮断される。アキュムレータ４３１から供給される高圧の作動液により、パイロット液圧室４Ｄの液圧を上昇させることができる。パイロット液圧室４Ｄの液圧が上昇することで、制御ピストン４４５がシリンダ底面側に摺動する。これにより、制御ピストン４４５の突出部４４５ｂの先端がボール弁４４２に当接し、通路４４５ｄがボール弁４４２により塞がれる。そして、第２室４Ｂとリザーバ１７１とが遮断される。
【００７２】
さらに、制御ピストン４４５がシリンダ底面側に摺動することで、突出部４４５ｂによりボール弁４４２がシリンダ底面側に押されて移動し、ボール弁４４２が弁座部４４４から離間する。これにより、第１室４Ａと第２室４Ｂは、弁座部４４４の貫通路４４４ａで連通する。第１室４Ａには、アキュムレータ４３１から高圧の作動液が供給され、連通している第２室４Ｂの圧力も上昇する。
【００７３】
第２室４Ｂの圧力上昇に伴って、連通するサーボ室１Ａのサーボ液圧も上昇する。サーボ液圧の上昇により、第１マスタピストン１４が前進し、第１加圧室１Ｄのマスタシリンダ液圧が上昇する。そして、第２マスタピストン１５も前進し、第２加圧室１Ｅのマスタシリンダ液圧も上昇する。マスタシリンダ液圧の上昇により、高圧の作動液が配管５１、５２および液圧制御部５を経由してホイルシリンダ５４１〜５４４へ供給され、車輪５ＦＲ〜５ＲＬに液圧制動力が付与される。
【００７４】
また、第１加圧室１Ｄのマスタシリンダ液圧は、サーボ液圧発生装置４の第４室４Ｅにフィードバック供給される。第４室４Ｅの圧力は上昇し、パイロット液圧室４Ｄ内の液圧と均衡して、サブピストン４４６は移動しない。このようにして、アキュムレータ４３１の高圧からつくられたサーボ液圧に基づき、不足制動力に見合った液圧制動力を発生することができる。
【００７５】
液圧制動力の発生を解除する場合には、反対に減圧弁４１を開状態とし、増圧弁４２を閉状態として、リザーバ１７１とパイロット液圧室４Ｄとを連通させる。これにより、制御ピストン４４５が後退し、サーボ液圧発生装置４はブレーキペダル１０を踏み込む前の状態に戻る。ブレーキＥＣＵ６は、ブレーキ操作に応じて増圧弁４２及び減圧弁４１を制御し、パイロット液圧室４Ｄにパイロット液圧を発生させる。増圧弁４２及び減圧弁４１の制御によりパイロット液圧をある値まで上昇させるとボール弁４４２と突出部４４５ｂが当接し、さらにパイロット液圧を上昇させるとボール弁４４２と弁座部４４４が離間し、サーボ室１Ａに液圧が付与される。
【００７６】
（プリチャージ制御）
ここで、本実施形態のブレーキＥＣＵ６のプリチャージ制御について説明する。図３に示すように、ブレーキＥＣＵ６は、ストロークセンサ７１からブレーキペダル１０の操作量の情報を取得し、ブレーキスイッチ７２からの信号を取得する（Ｓ１０１）。ブレーキＥＣＵ６は、取得した操作量（及び操作の有無の情報）が、予め設定された所定操作量以下であるか否かを判定する（Ｓ１０２）。ブレーキＥＣＵ６は、ブレーキスイッチ７２により操作が検出されなかった場合（すなわち、運転手の足がブレーキペダル１０に触れていない場合）、又は、ブレーキスイッチ７２により操作が検出されて且つストロークセンサ７１から取得した操作量が所定操作量以下である場合（すなわち、運転手の足がブレーキペダル１０に触れて、且つ、０≦操作量≦所定操作量の場合）に、「所定操作量以下」と判定する。
【００７７】
ブレーキＥＣＵ６は、「所定操作量以下」と判定した場合（Ｓ１０２：Ｙｅｓ）、増圧弁４２及び減圧弁４１を制御して、予め設定された所定液量の作動液をパイロット液圧室４Ｄに供給する（Ｓ１０３）。所定液量は、パイロット液圧室４Ｄに供給されることで、突出部４４５ｂがボール弁４４２に当接する直前の位置まで移動する液量、又は、突出部４４５ｂがボール弁４４２を移動させずにボール弁４４２に当接する位置まで移動する液量である。
【００７８】
所定液量は、例えば図４に示すようなパイロット液圧室４ＤのＱＰ特性から予め算出することができる。パイロット液圧室４Ｄの液量が増えてもサーボ液圧が変化しない最大の液量を最大無効液量とすると、所定液量は最大無効液量以下に設定される。このように、パイロット液圧をプリチャージの目標液圧である準備パイロット液圧にするために必要な液量は、パイロット液圧室のＱＰ特性に基づいて算出できる。準備パイロット液圧は、ホイルシリンダ５４１〜５４４内の液圧が実質的に大気圧に維持されるような値に設定される。
【００７９】
また、所定液量をパイロット液圧室４Ｄに供給するための制御は、例えば図５に示すような増圧弁４１の流量特性（ＩＶ特性）に基づいて、予めブレーキＥＣＵ６に設定することができる。すなわち、パイロット液圧室４Ｄに所定液量を供給するために必要な増圧弁４２への供給電流値と電流供給時間は、フィードフォワード的に予め算出することができる。ブレーキＥＣＵ６は、減圧弁４１を閉弁し、増圧弁４２に所定電流を所定時間供給してパイロット液圧室４Ｄに所定液量を供給する。これにより、パイロット液圧室４Ｄに準備パイロット液圧が発生し、突出部４４５ｂはボール弁４４２に当接する位置又は当接直前の位置にまで移動する。
【００８０】
このように、ブレーキＥＣＵ６は、ブレーキ操作量が所定操作量以下であるか否かを判定する判定手段６１と、増圧弁４２及び減圧弁４１を制御してパイロット液圧室４Ｄに準備パイロット液圧を発生させるパイロット液圧制御手段６２と、を備えている。なお、取得した操作量が所定操作量より大きい場合（Ｓ１０２：Ｎｏ）、プリチャージは実行されない。
【００８１】
第一実施形態の制動制御装置によれば、運転手によるブレーキ操作が所定操作量以下の場合、すなわちブレーキ操作が０又は少量の際に、予めパイロット液圧室４Ｄに準備パイロット液圧を発生させて、突出部４４５ｂをボール弁４４２に接近又は当接させる。これにより、ブレーキ操作が行われた際における、突出部４４５ｂがボール弁４４２に当接するまでの時間（無効液量期間）を短縮する又は無くすことができる。すなわち、制動力の応答性は高くなる。
【００８２】
さらに、上記プリチャージを行った場合でも、ボール弁４４２と弁座部４４４とが離間していないためサーボ液圧は変化せず、マスタピストン１４、１５は前進しない。つまり、本実施形態のプリチャージによっては、マスタ液圧は変化せず、ホイル液圧も変化しない。したがって、例えばブレーキパッドとブレーキロータとが接触してしまうなどのブレーキの引き摺り発生は抑制される。
【００８３】
また、レギュレータ４４の無効液量のバラツキは、ブレーキパッドをブレーキロータに押し付けるためのブレーキキャリパの無効液量のバラツキよりも小さいため、第一実施形態のような供給液量による制御によっても高精度、高ロバスト性を確保することができる。また、制御のバラツキ等により、若干サーボ液圧が変化したとしても、第一マスタピストン１４を前進させるためのサーボ液圧まで上昇することは考えられない。つまり、パイロット液圧に多少のバラツキが発生しても、サーボ液圧やマスタ液圧がバッファとなり、ホイル液圧の上昇までには至らない。換言すれば、準備パイロット液圧は、サーボ液圧が大気圧以上で且つ第一マスタピストン１４をその初期位置に向けて付勢する付勢部材１４４のセット荷重以下の液圧となるように設定されていれば良い。また、第一実施形態では、予め決められた所定液量をパイロット液圧室４Ｄに供給して準備パイロット液圧を発生させるため、制御が簡易となる。また、レギュレータ４４は、一般的に大流量のブレーキ液を流すことができるため、準備パイロット液圧をホイル液圧が実質的に大気圧に維持されるような値に設定したとしても、ブレーキ操作に対する制動力発生の応答性は確保可能である。
【００８４】
＜第二実施形態＞
第二実施形態の制動制御装置は、第一実施形態と比較して、ブレーキＥＣＵ６のプリチャージ制御が異なっている。したがって、第二実施形態のプリチャージ制御について説明する。
【００８５】
図６に示すように、ブレーキＥＣＵ６は、ストロークセンサ７１からブレーキペダル１０の操作量の情報を取得し、ブレーキスイッチ７２からの信号を取得する（Ｓ２０１）。ブレーキＥＣＵ６は、取得した操作量（及び操作の有無の情報）が、予め設定された所定操作量以下であるか否かを判定する（Ｓ２０２）。ブレーキＥＣＵ６は、「所定操作量以下」と判定した場合（Ｓ２０２：Ｙｅｓ）、圧力センサ７４から圧力値を取得する（Ｓ２０３）。すなわち、ブレーキＥＣＵ６は、サーボ室１Ａの圧力（サーボ液圧）を取得する（Ｓ２０３）。
【００８６】
そして、ブレーキＥＣＵ６は、サーボ液圧が所定の準備サーボ液圧（「準備駆動液圧」に相当する）となるように、増圧弁４２及び減圧弁４１を制御する（Ｓ２０４）。準備サーボ液圧は、大気圧より大きい液圧であって、第一マスタピストン１４をその初期位置に向けて付勢する付勢部材１４４のセット荷重以下の液圧に設定されている。したがって、準備パイロット液圧は、サーボ室１Ａに準備サーボ液圧を発生させるために必要な液圧となる。つまり、準備パイロット液圧は、ボール弁４４２を弁座部４４４から離間させる液圧以上である。このように、ブレーキＥＣＵ６は、増圧弁４２及び減圧弁４１を制御してパイロット液圧を準備パイロット液圧まで上昇させ、ボール弁４４２を弁座部４４４から離間させて、サーボ液圧を準備サーボ液圧まで上昇させる（Ｓ２０４）。なお、取得した操作量が所定操作量より大きい場合（Ｓ２０２：Ｎｏ）、プリチャージは実行されない。
【００８７】
第二実施形態によれば、ブレーキ操作が行われた際における、突出部４４５ｂがボール弁４４２に当接するまでの時間（無効液量期間）を無くすことができる。また、予めサーボ液圧を第一マスタピストン１４が移動しない準備サーボ液圧にまで上昇させることができるため、サーボ液圧がセット荷重を超えて第一マスタピストン１４が移動開始するまでの時間を短縮すること又は無くすことができる。これにより、第一実施形態よりさらに、制動力の応答性は高くなる。また、ブレーキＥＣＵ６は、圧力センサ７４によりサーボ液圧を取得しながらパイロット液圧の制御ができるため、精度良く準備パイロット液圧を発生させることができる。
【００８８】
また、第二実施形態によれば、第一実施形態同様、準備パイロット液圧により第一マスタピストン１４が移動することがなく、マスタ液圧及びホイル液圧が上昇しない。したがって、ブレーキの引き摺り発生は抑制される。
【００８９】
＜第三実施形態＞
第三実施形態の制動制御装置は、第一実施形態と比較して、圧力センサ７７が追加され、その値に基づいてプリチャージ制御が為されている点で異なっている。したがって、当該異なる点について説明する。なお、第一実施形態と同じ符号は、第一実施形態と同様の構成を示すものであって、先行する説明が参照される。
【００９０】
図７に示すように、圧力センサ７７は、パイロット液圧室４Ｄの液圧を測定するセンサであって、増圧弁４２とポート４ｇの間に配置された配管４２１に設けられている。ブレーキＥＣＵ６は、圧力センサ７７からパイロット液圧の情報を取得する。
【００９１】
ここで第三実施形態のプリチャージ制御について説明する。図８に示すように、ブレーキＥＣＵ６は、ストロークセンサ７１からブレーキペダル１０の操作量の情報を取得し、ブレーキスイッチ７２からの信号を取得する（Ｓ３０１）。ブレーキＥＣＵ６は、取得した操作量（及び操作の有無の情報）が、予め設定された所定操作量以下であるか否かを判定する（Ｓ３０２）。ブレーキＥＣＵ６は、「所定操作量以下」と判定した場合（Ｓ３０２：Ｙｅｓ）、圧力センサ７７から圧力値を取得する（Ｓ３０３）。すなわち、ブレーキＥＣＵ６は、パイロット液圧室４Ｄの圧力（パイロット液圧）を取得する（Ｓ３０３）。
【００９２】
そして、ブレーキＥＣＵ６は、パイロット液圧が所定の準備パイロット液圧となるように、増圧弁４２及び減圧弁４１を制御する（Ｓ３０４）。準備パイロット液圧は、第一実施形態と同様、パイロット液圧室４Ｄに発生させることで、突出部４４５ｂがボール弁４４２に当接する直前の位置まで移動する液圧、又は、突出部４４５ｂがボール弁４４２を移動させずにボール弁４４２に当接する位置まで移動する液圧である。なお、取得した操作量が所定操作量より大きい場合（Ｓ３０２：Ｎｏ）、プリチャージは実行されない。
【００９３】
第三実施形態によれば、第一実施形態同様の効果が発揮される。さらに、第三実施形態では、ブレーキＥＣＵ６がパイロット液圧の値を取得しながら増圧弁４２及び減圧弁４１を制御するため、精度良くパイロット液圧室４Ｄに準備パイロット液圧を発生させることができる。
【００９４】
＜第四実施形態＞
第四実施形態の制動制御装置は、第一実施形態と比較して、ブレーキＥＣＵ６がブレーキ発生の予測をし、その予測に基づいてプリチャージ制御が為されている点で異なっている。したがって、当該異なる点について説明する。なお、第一実施形態と同じ符号は、第一実施形態と同様の構成を示すものであって、先行する説明が参照される。
【００９５】
図９に示すように、ブレーキＥＣＵ６は、アクセルペダル（図示せず）の操作量を測定するアクセル操作量センサ８１からアクセル操作量の情報を取得し、車両の速度を測定する車速センサ８２から車速の情報を取得するように構成されている。ブレーキＥＣＵ６には、アクセル操作量に対する設定値である所定アクセル操作量、及び車速に対する設定値である所定車速が記憶されている。
【００９６】
ここで第四実施形態のプリチャージ制御について説明する。図１０に示すように、ブレーキＥＣＵ６は、ストロークセンサ７１からブレーキペダル１０の操作量の情報を取得し、ブレーキスイッチ７２からの信号を取得する（Ｓ４０１）。ブレーキＥＣＵ６は、取得した操作量（及び操作の有無の情報）が、予め設定された所定操作量以下であるか否かを判定する（Ｓ４０２）。ブレーキＥＣＵ６は、「所定操作量以下」と判定した場合（Ｓ４０２：Ｙｅｓ）、アクセル操作量センサ８１からアクセル操作量の情報を取得し、車速センサ８２から車速の情報を取得する（Ｓ４０３）。
【００９７】
ブレーキＥＣＵ６は、取得したアクセル操作量が所定アクセル操作量以下であるか否か、及び取得した車速が所定車速以上であるか否かに基づいて、「運転手によりブレーキ操作が行われる可能性が高いか否か」を判定する（Ｓ４０４）。具体的に、ブレーキＥＣＵ６は、アクセル操作量が所定アクセル操作量以下であり且つ車速が所定車速以上である場合、運転手がブレーキ操作を行う可能性が高いと判定する。すなわち、ブレーキＥＣＵ６は、アクセル操作量が所定アクセル操作量以下であり且つ車速が所定車速以上である場合、ホイルシリンダ５４１〜５４４が設けられている車輪５ＦＲ〜５ＲＬに制動力が付与されると予測する。ブレーキＥＣＵ６は、ホイルシリンダ５４１〜５４４が設けられている車輪５ＦＲ〜５ＲＬに制動力が付与されることを予測する予測手段６３を備えている。
【００９８】
ブレーキＥＣＵ６は、制動力が付与される可能性が高いと判定した場合（Ｓ４０４：Ｙｅｓ）、増圧弁４２及び減圧弁４１を制御して、パイロット液圧室４Ｄに準備パイロット液圧を発生させる（Ｓ４０５）。準備パイロット液圧は、第一実施形態同様、所定液量の作動液をパイロット液圧室４Ｄに供給することで発生させる。一方、ブレーキＥＣＵ６は、制動力が付与される可能性が高いと判定しなかった場合（Ｓ４０４：Ｎｏ）、プリチャージを実行しない。なお、取得した操作量が所定操作量より大きい場合も（Ｓ３０２：Ｎｏ）、プリチャージは実行されない。
【００９９】
第四実施形態によれば、ブレーキＥＣＵ６がブレーキ操作の可能性を予測するため、プリチャージの必要性が高いタイミングに選択的にプリチャージを実行することができる。つまり、第四実施形態によれば、第一実施形態の効果に加えて、車両の走行状態に応じて、より効率的にプリチャージを実行することができる。
【０１００】
なお、本発明は上記第一〜第四実施形態に限られない。例えば第四実施形態において、準備パイロット液圧の発生は、第二実施形態又は第三実施形態の制御により実現しても良い。つまり、第四実施形態と他の実施形態とを組み合わせても良い。具体的には、図１０のＳ４０５は、図６のＳ２０３とＳ２０４、又は図８のＳ３０３とＳ３０４であっても良い。また、ブレーキＥＣＵ６（予測手段６３）は、アクセル操作量が所定アクセル操作量以下である場合、又は車速が所定車速以上である場合に、運転手がブレーキ操作を行う可能性が高いと判定するように設定されていても良い。また、ブレーキＥＣＵ６（予測手段６３）によるブレーキ発生予測は、上記アクセル操作量や車速以外の要素に基づいて実行されても良い。また、準備パイロット液圧は、突出部４４５ｂがボール弁４４２に当接する直前位置に限らず、突出部４４５ｂがボール弁４４２に接近する液圧であれば良い。
【符号の説明】
【０１０１】
１：マスタシリンダ、  １１：メインシリンダ、１２：カバーシリンダ、
１３：入力ピストン、  １４：第一マスタピストン、  １４４：付勢部材、
１５：第二マスタピストン、  １Ａ：サーボ室、
１Ｂ：第一液圧室、  １Ｃ：第二液圧室、
１Ｄ：第一マスタ室、  １Ｅ：第二マスタ室、  １０：ブレーキペダル、
２：反力発生装置、  ２２：第一制御弁、  ３：第二制御弁、
４：サーボ液圧発生装置、  ４１：減圧弁、  ４２：増圧弁、  
４３１：アキュムレータ、  ４４：レギュレータ、  ４Ｄ：パイロット液圧室、
５４１、５４２、５４３、５４４：ホイルシリンダ、
５ＦＲ、５ＦＬ、５ＲＲ、５ＲＬ：車輪、  ＢＦ：液圧制動力発生装置
６：ブレーキＥＣＵ、
６１：判定手段、  ６２：パイロット液圧制御手段、
６３：予測手段、    ７３、７４、７５、７６、７７：圧力センサ
【図１】
2014141146.tif 000003
【図２】
2014141146.tif 000004
【図３】
2014141146.tif 000005
【図４】
2014141146.tif 000006
【図５】
2014141146.tif 000007
【図６】
2014141146.tif 000008
【図７】
2014141146.tif 000009
【図８】
2014141146.tif 000010
【図９】
2014141146.tif 000011
【図１０】
2014141146.tif 000012